Podtech/llm-jp-corpus-v4-ja_patent huggingface dataset:
【誤訳訂正書】
【提出日】平成27年6月3日(2015.6.3)
【誤訳訂正１】
【訂正対象書類名】特許請求の範囲
【訂正対象項目名】全文
【訂正方法】変更
【訂正の内容】
【特許請求の範囲】
【請求項１】
ａ）  ３ないし６個の（メタ）アクリレート基を有するポリオール  ポリ（メタ）アクリレートモノマーから選ばれる少なくとも一つのモノマーと、
ｂ）  少なくとも３つのエポキシ基を有するポリオール  ポリグリシジルエーテルから選ばれる少なくとも一つのモノマーと、
ｃ）  少なくとも一つの二官能性モノマーと、
ｄ）  少なくとも一つのフリーラジカル光開始剤と、
ｅ）  少なくとも一つの陽イオン光開始剤とを含み、
上記ポリオール  ポリ（メタ）アクリレートモノマーは、ペンタエリスリトール  トリ−および／またはテトラアクリレート、ジペンタエリスリトール  ヘキサアクリレート、およびそれらの混合物、から選ばれ、
上記二官能性モノマーが、少なくとも一つのポリオール  ジ（メタ）アクリレートであり、上記ポリオール  ジ（メタ）アクリレートは、ネオペンチルグリコール  ジアクリレート、１，６−ヘキサンジオール  ジアクリレート、テトラエチレングリコール  ジアクリレート、１，３−ブチレングリコール  ジアクリレート、１，３−ブチレングリコール  ジメタクリレート、エチレングリコール  ジメタクリレート、テトラエチレングリコール  ジメタクリレート、１，６−ヘキサンジオール  ジメタクリレート、エチレングリコール  ジアクリレート、ジエチレングリコール  ジアクリレート、グリセロール  ジアクリレート、１，３−プロパンジオール  ジアクリレート、１，３−プロパンジオール  ジメタクリレート、１，４−シクロヘキサンジオール  ジアクリレート、１，４−シクロヘキサンジオール  ジメタクリレート、１，５−ペンタンジオール  ジメタクリレート、およびこれらの混合物、から選ばれる硬化可能なコーティング組成物であって、
エポキシ当量に対するアクリレート当量のモル比が３：１ないし４：１であり、
上記組成物が、シリカおよび、アルコキシシラン基含有モノマーを含んでいないことを特徴とする硬化可能なコーティング組成物。
【請求項２】
上記ポリオール  ポリグリシジルエーテルが、ポリオール  トリグリシジルエーテルであることを特徴とする請求項１に記載の組成物。
【請求項３】
上記ポリオール  ポリグリシジルエーテルが、トリメチロールプロパン  トリグリシジルエーテルであることを特徴とする請求項２に記載の組成物。
【請求項４】
上記二官能性モノマーが２つのポリオール  ジ（メタ）アクリレートを含み、そのうちの少なくとも一つがアルカンジオール  ジ（メタ）アクリレートであり、そのうちの少なくとも一つがポリエチレングリコール  ジ（メタ）アクリレートであることを特徴とする請求項３に記載の組成物。
【請求項５】
上記二官能性モノマーが、
１，６−ヘキサンジオール  ジアクリレートと、
テトラエチレングリコール  ジメタクリレートとの、
混合物を含んでいることを特徴とする請求項４に記載の組成物。
【請求項６】
上記組成物におけるエポキシモノマーに対する、ポリオール  ジ（メタ）アクリレートモノマーを含めた上記ポリオール  ポリ（メタ）アクリレートモノマーの全量の重量比が、２：１ないし３：１であることを特徴とする請求項１に記載の組成物。
【請求項７】
実質的に溶媒を含んでいないことを特徴とする請求項１に記載の組成物。
【請求項８】
少なくとも一つの界面活性剤、少なくとも一つのスリップ剤、またはそれらの混合物を含むことを特徴とする請求項１に記載の組成物。
【請求項９】
ａ）  基板の少なくとも一つの表面に、請求項１に記載の組成物を作用させるステップと、
ｂ）  上記組成物を硬化させて、上記基板に、コーティングされた表面を形成するステップとを有することを特徴とする物品の製造方法。
【請求項１０】
少なくとも一つの色素を上記コーティングされた表面の中へ吸収するステップをさらに有することを特徴とする請求項９に記載の方法。
【請求項１１】
上記基板が、完成の、またはほぼ完成の、眼科用レンズであることを特徴とする請求項９または１０に記載の方法。
【請求項１２】
請求項９または１０に記載の方法により得られる物品。
【誤訳訂正２】
【訂正対象書類名】明細書
【訂正対象項目名】００６４
【訂正方法】変更
【訂正の内容】
【００６４】
【表１】
2012518045.tif 000001
【誤訳訂正３】
【訂正対象書類名】明細書
【訂正対象項目名】００６９
【訂正方法】変更
【訂正の内容】
【００６９】
【表２】
2012518045.tif 000002
【誤訳訂正書】
【提出日】平成26年12月2日(2014.12.2)
【誤訳訂正１】
【訂正対象書類名】特許請求の範囲
【訂正対象項目名】請求項１
【訂正方法】変更
【訂正の内容】
【請求項１】
甜菜ベースの発酵溶液からベタイン及び少なくとも１種の他の成分を分離する方法であって、
該分離は、強酸陽イオン交換樹脂からなる１つ又はそれより多い部分充填床及び弱酸陽イオン交換樹脂からなる１つ又はそれより多い部分充填床を含むクロマトグラフィーＳＢＭ分離システムにおいて行われること、
該弱酸陽イオン交換樹脂床の容量は、該システムの該全樹脂床の容量の２０乃至４０％であること、
該溶液は、該強酸陽イオン交換樹脂床を通過して、ベタイン及び少なくとも１種の他の成分に富む分離プロファイルの一部を含む分離プロファイルを形成すること、そして回収された残渣画分を提供すること、並びに
ベタイン及び少なくとも１種の他の成分に富む前記分離プロファイルの一部は、該弱酸陽イオン交換樹脂床へ移送され、そして通過して、ベタインに富む画分を回収すること及び少なくとも１種の他の成分に富む画分を提供すること
を特徴とする方法。
【誤訳訂正２】
【訂正対象書類名】特許請求の範囲
【訂正対象項目名】請求項１６
【訂正方法】変更
【訂正の内容】
【請求項１６】
前記少なくとも１種の他の成分に富む画分は、それを前記強酸陽イオン交換樹脂からなる１つ又はそれより多い部分充填床のうち少なくとも１つに導入することによって、溶離液の代替液としてＳＭＢ分離システムに循環されること、及び前記少なくとも１種の他の成分は前記強酸陽イオン交換樹脂からなる１つ又はそれより多い部分充填床から回収されることを特徴とする、請求項１に記載の方法。
【誤訳訂正３】
【訂正対象書類名】特許請求の範囲
【訂正対象項目名】請求項２８
【訂正方法】変更
【訂正の内容】
【請求項２８】
甜菜ベースの発酵溶液からベタイン及びグリセロールを分離する方法であって、
該分離は、強酸陽イオン交換樹脂からなる１つ又はそれより多い部分充填床及び弱酸陽イオン交換樹脂からなる１つ又はそれより多い部分充填床を含むクロマトグラフＳＭＢ分離システムによって行われること、
弱酸陽イオン交換樹脂床の容量は該システムの全樹脂（床）の容量の２０乃至４０％であること、
該溶液は、該強酸陽イオン交換樹脂床を通過して、ベタイン及びグリセロールに富む分離プロファイルの一部分を含む分離プロファイルを形成すること、そして残渣画分を提供すること、及び
前記ベタイン及びグリセロールに富む分離プロファイルの部分は、該弱酸陽イオン交換樹脂床へ移送され、そして通過して、ベタイン画分を回収すること及びグリセロールに富む画分を提供すること、並びに
前記グリセロールに富む画分は、それを前記強酸陽イオン交換樹脂からなる１つ又はそれより多い部分充填床のうち少なくとも１つに導入することによって溶離液の代替液としてＳＭＢ分離システムに循環されること、そしてグリセロールは前記強酸陽イオン交換樹脂からなる１つ又はそれより多い部分充填床から回収されること
を特徴とする方法。
【誤訳訂正４】
【訂正対象書類名】明細書
【訂正対象項目名】０１００
【訂正方法】変更
【訂正の内容】
【０１００】
これら画分から計算された全ベタイン収率は８０．０％であった。ＷＡＣ樹脂床からのグリセロール画分は、供給物（工程８及び９）とプロファイル（工程１０）の間のカラムに導入され、塩と一緒に残余画分中に回収される。（表Ｅ３−２の画分から計算された）約６０％のグリセロールが残渣画分中に回収され、及び３５％のグリセロールが再循環画分中に回収された。全体で、供給物のグリセロールの約９５％がＳＭＢシステムのＳＡＣカラムから回収された。残渣画分の容量はさらに削減され、そして乾燥固体含量は、それに続くプロファイルの残渣画分と同時に溶離させるためにカラム１乃至３からの残渣画分の部分を循環させることによって増加した。残渣のみ及びベタインのみの画分はシステムから取り出され、及びＷ／Ｆ（水対供給物）比は３．２であった。残渣の及びベタインの画分が６０質量％までエバポレーションされたとき、濃縮物残渣はベタイン１ｋｇあたり８１．４ｋｇであった。溶離液としてグリセロール画分の循環なしの実施例２で記載された試験作動と比較して、要求されたエバポレーションは２１％減少した。
【手続補正書】
【提出日】平成27年6月11日(2015.6.11)
【手続補正１】
【補正対象書類名】明細書
【補正対象項目名】００１０
【補正方法】変更
【補正の内容】
【００１０】
追加的な添加剤を組成物中に提供してもよく、これは、次の群から選択することができる。顔料、消泡剤、光安定剤、光学的光沢剤、腐食防止剤、酸化防止剤、殺藻剤、可塑剤、粘稠剤、界面活性物質。Ｐｌｕｒｏｎｉｃ  ＰＥ１０４００（ルートウィヒスハーフェンのＢＡＳＦから）、４０重量％のＣ２−ポリエーテルを有する、Ｃ３−ポリエーテル単位、Ｃ２−ポリエーテル単位及びＣ３−ポリエーテル単位の水溶性トリブロックコポリマーが、添加剤として特に好ましく使用される。ＮａＯＨ又はＫＯＨのような無機塩基の使用により、ｐＨ８．０以上において銀薄膜を非導電性にすることができる。したがって、組成物のｐＨを、組成物が導電性のままであるレベルに維持するために、任意に、トリエタノールアミン又はＮ，Ｎ’−ジメチルエタノールアミンのような有機塩基をｐＨ調整剤として使用することができる。
【手続補正２】
【補正対象書類名】明細書
【補正対象項目名】００１１
【補正方法】変更
【補正の内容】
【００１１】
極めて有利な特徴に従って、一対の界面活性剤が組成物中に使用される。界面活性剤を組み合わせることによって、基板への不完全な施用、ピンホール欠陥の形成、印刷ノズルの目詰まり、及び開始時の基板への適用の困難さを著しく低減するのに役立つことが見出された。第１の界面活性剤は、炭化水素ベースの界面活性剤であることができ、例えば、エトキシ化デシンジオール、アルキルジフェニルオキシドジスルホネート及びスルホコハク酸ジオクチルナトリウムのうちの一種以上であってよい。適した第１の界面活性剤は、Ａｉｒ  Ｐｒｏｄｕｃｔｓ  ａｎｄ  Ｃｈｅｍｉｃａｌｓから供給されている、エトキシ化２，４，７，９−テトラメチル５デシン−４，７−ジオールを含むＳｕｒｆｙｎｏｌ  ４６５、及びＳｕｒｆｙｎｏｌ  ２５０２、Ｓｕｒｆｙｎｏｌ  ４８５及びＳｕｒｆｙｎｏｌ  ＴＧのようなデシンジオール含有のその他の関連混合物、Ｔｈｅ  Ｄｏｗ  Ｃｈｅｍｉｃａｌ  Ｃｏｍｐａｎｙから供給されているＤｏｗｆａｘ  ８３９０及びＤｏｗｆａｘ  ２Ａ１、及びアルキルジフェニルオキシドジスルホネート含有のその他の関連混合物、及びＣｙｔｅｃ  Ｉｎｄｕｓｔｒｉｅｓ，  Ｉｎｃ．から供給されているＡｅｒｏｓｏｌ  ＯＴ−７５、及びスルホコハク酸ジオクチルナトリウム含有のその他の混合物を含む。一般には、エトキシ化／プロポキシ化アセチレンベース材料を第１の界面活性剤として使用することができる。
【手続補正３】
【補正対象書類名】明細書
【補正対象項目名】００１２
【補正方法】変更
【補正の内容】
【００１２】
第２の界面活性剤は、フッ素化ポリオキシエタン又はフルオロ脂肪族ポリマーエステルのようなフルオロベースの界面活性剤のうちの一種以上である。フッ素化ポリオキシエタン含有の適した混合物は、例えば、Ｏｍｎｏｖａ  Ｓｏｌｕｔｉｏｎｓから供給されているＰｏｌｙｆｏｘ  １５１Ｎ及びＰｏｌｙｆｏｘ  １５４Ｎ、ｔｈｅ  ３Ｍ  Ｃｏｍｐａｎｙから供給されているＮｏｖｅｃ  ＦＣ  ４４３０及びＮｏｖｅｃ  ＦＣ  ４４３２、及びフルオロ脂肪族ポリマーエステル含有のその他の混合物を含むことができる。第１の界面活性剤及び第２の界面活性剤の組合せは、組成物の１重量％未満、より好ましくは組成物の０．３重量％未満の量で組成物中に存在させることができる。
【手続補正４】
【補正対象書類名】特許請求の範囲
【補正対象項目名】請求項６
【補正方法】変更
【補正の内容】
【請求項６】
前記分散剤が、ポリビニルピロリドン、ブロックコポリエーテル及びポリスチレンブロックを有するブロックコポリエーテルのうちの一種以上である、請求項１に記載の導電性の印刷可能な組成物。
【手続補正５】
【補正対象書類名】特許請求の範囲
【補正対象項目名】請求項１１
【補正方法】変更
【補正の内容】
【請求項１１】
前記第１の界面活性剤が、エトキシ化デシンジオール、アルキルジフェニルオキシドジスルホネート及びスルホコハク酸ジオクチルナトリウムのうちの１種又は２種以上である、請求項９に記載の導電性の印刷可能な組成物。
【手続補正６】
【補正対象書類名】特許請求の範囲
【補正対象項目名】請求項１３
【補正方法】変更
【補正の内容】
【請求項１３】
前記第１の界面活性剤が、Ｓｕｒｆｙｎｏｌ  ２５０２、Ｓｕｒｆｙｎｏｌ  ４８５、Ｓｕｒｆｙｎｏｌ  ＴＧ、Ｓｕｒｆｙｎｏｌ  ４６５、Ｄｏｗｆａｘ  ８３９０、Ｄｏｗｆａｘ  ２Ａ１及びＡｅｒｏｓｏｌ  ＯＴ−７５のうちの一種以上であり、かつ、第２の界面活性剤が、Ｐｏｌｙｆｏｘ  １５１Ｎ、Ｐｏｌｙｆｏｘ  １５４Ｎ、Ｎｏｖｅｃ    ＦＣ  ４４３０及びＮｏｖｅｃ  ＦＣ  ４４３２のうちの一種以上である、請求項１に記載の導電性の印刷可能な組成物。
【誤訳訂正書】
【提出日】平成27年4月22日(2015.4.22)
【誤訳訂正１】
【訂正対象書類名】明細書
【訂正対象項目名】００７２
【訂正方法】変更
【訂正の内容】
【００７２】
【表２】
2014522885.tif 000001
【誤訳訂正２】
【訂正対象書類名】特許請求の範囲
【訂正対象項目名】全文
【訂正方法】変更
【訂正の内容】
【特許請求の範囲】
【請求項１】
改善された断熱特性を有する硬質イソシアネート系ポリマー発泡体であって、
（Ａ）（i）有機イソシアネートを含むＡ側成分と、
（Ｂ）Ｂ側成分であって、
（ii）イソシアネート反応成分、
（iii）発泡剤、及び
（iv）触媒、核生成剤、界面活性剤、架橋剤、鎖延長剤、難燃剤、充填材、
着色剤、顔料、帯電防止剤、補強繊維、酸化防止剤、保存剤、
赤外線阻止剤、又は酸スカベンジャーの中から選択される１種又は複数種
の追加成分
を含む、前記Ｂ側成分と、
（Ｃ）３〜７部のカーボンブラック成分であって、
（v）炭素に対するフッ素のモル比（Ｆ／Ｃ）が少なくとも１０／９０である
フッ素化カーボンブラックを５０〜１００重量％含み、ここで、部は、
Ｂ側成分（Ｂ）の１００重量部に基づいた重量部であり、また、該成分
（Ｃ）は、そのすべてがＡ側成分（Ａ）にあっても、Ｂ側成分（Ｂ）に
あっても、一部がＡ側成分にあり一部がＢ側成分にあってもよい、
前記カーボンブラック成分と、
の混合物を含む反応配合物から製造された、前記硬質イソシアネート系ポリマー発泡体。
【請求項２】
前記有機イソシアネートが、２，４−トルエンジイソシアネート（ＴＤＩ）、２，６−トルエンジイソシアネート、又はこれらの混合物；  ２，４’−ジフェニルメタンジイソシアネート（ＭＤＩ）、２，２’−ジフェニルメタンジイソシアネート、４，４’−ジフェニルメタンジイソシアネート、又はこれらの混合物；  ２個より多いイソシアネート官能基を有し、粗ＭＤＩ又は高分子のＭＤＩとして当技術分野で知られている、ジフェニルメタンジイソシアネートとそのオリゴマーの混合物；  又は、ウレタン基、アロファネート基、尿素基、ビウレット基、カルボジイミド基、ウレトニミン基、及び／又はイソシアネート基を含むＭＤＩである、請求項１に記載の硬質イソシアネート系ポリマー発泡体。
【請求項３】
前記イソシアネート反応成分が、２〜８個の官能基と１００〜８５０のヒドロキシル価を有するポリエーテルポリオールである、請求項１に記載の硬質イソシアネート系ポリマー発泡体。
【請求項４】
前記発泡剤が、物理発泡剤、化学発泡剤、又はこれらの組み合わせである、請求項１に記載の硬質イソシアネート系ポリマー発泡体。
【請求項５】
前記カーボンブラック成分（Ｃ）が、１００％フッ素化されたカーボンブラック（v）である、請求項１に記載の硬質イソシアネート系ポリマー発泡体。
【請求項６】
前記フッ素化カーボンブラックの平均粒径が５ｎｍ〜５００ｎｍである、請求項１に記載の硬質イソシアネート系ポリマー発泡体。
【請求項７】
前記発泡体は、ＩＳＯ １２９３９−０１に従って求めた発泡体のｋ−ファクターが、フッ素化カーボンブラックを省いたこと以外は同じ発泡体形成組成物から調製された対応する発泡体のｋ−ファクターよりも、少なくとも０．２ｍＷ／ｍＫ小さい、請求項１に記載の硬質イソシアネート系ポリマー発泡体。
【請求項８】
改善された断熱特性を有する硬質イソシアネート系ポリマー発泡体の製造方法であって、
（Ｉ）形成工程であって、
（Ａ）（i）有機イソシアネートを含むＡ側成分と、
（Ｂ）（ii）イソシアネート反応成分、
（iii）発泡剤、及び
（iv）触媒、核生成剤、界面活性剤、架橋剤、鎖延長剤、難燃剤、充填材、
着色剤、顔料、帯電防止剤、補強繊維、酸化防止剤、保存剤、
赤外線阻止剤、又は酸スカベンジャーの中から選択される１種又は
複数種の追加成分
を含むＢ側成分と、
（Ｃ）３〜７部のカーボンブラック成分であって、
（v）炭素に対するフッ素のモル比（Ｆ／Ｃ）が少なくとも１０／９０である
フッ素化カーボンブラックを５０〜１００重量％含み、ここで、部は、
Ｂ側成分（Ｂ）の１００重量部に基づいた重量部であり、また、該成分
（Ｃ）は、そのすべてがＡ側成分（Ａ）にあっても、Ｂ側成分（Ｂ）に
あっても、一部がＡ側成分にあり一部がＢ側成分にあってもよい、
前記カーボンブラック成分と、
を形成する工程；
（ＩＩ）反応配合物を形成するために、前記Ａ側成分（Ａ）と前記Ｂ側成分（Ｂ）を共に混合する工程であって、前記Ａ側成分（Ａ）及び前記Ｂ側成分（Ｂ）の一方又は両方が前記成分（Ｃ）を含む、前記混合する工程；  並びに
（ＩＩＩ）断熱特性が改善された硬質イソシアネート系ポリマー発泡体を形成するために、得られた前記反応配合物を、該反応配合物が硬化するのに十分な条件下に曝す工程
の各工程によって製造する、前記製造方法。
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
ＣＺＬＣ３３１と称するサルモネラフラゲリン誘導体を含有する、炎症性腸疾患（ＩＢＤ）の予防または治療用薬物。
【請求項２】
前記ＩＢＤが潰瘍性大腸炎（ＵＣ）またはクローン病（ＣＤ）である、請求項１に記載の薬物。
【請求項３】
前記ＣＺＬＣ３３１が、Ｔａｔタンパク質伝達ペプチド、Ｎ末端からサルモネラフラゲリンのアミノ酸残基１〜１７６および４０２〜５０５を含み、該Ｎ末端からサルモネラフラゲリンのアミノ酸残基１〜１７６と４０２〜５０５がフレキシブルリンカーペプチドによって連結されている、請求項１または２に記載の薬物。
【請求項４】
前記薬剤が、次のステップを含む方法によって調製される、請求項１〜３のいずれか一項に記載の薬物；
１）ＣＺＬＣ２９６のコーディング遺伝子を合成するステップ、そのヌクレオチド配列は配列Ｉで示され、ここで該ＣＺＬＣ２９６は、フレキシブルリンカーペプチドを介して、Ｎ末端１〜１７６アミノ酸残基とＮ末端４０２〜５０５アミノ酸残基を連結することにより構成される、
２）ＣＺＬＣ２９６の合成されたコーディング遺伝子を、Ｔａｔタンパク質伝達ペプチドのコーディング配列を保持する原核細胞発現ベクターにクローニングするステップ、ｐＥＴ２８ｂ−Ｔａｔ−ＣＺＬＣ３３１と称する組換え発現ベクターが結果として生じる、これは、ＣＺＬＣ２９６コーディング遺伝子とＴａｔタンパク質伝達ペプチドのコーディング配列の両方を保持し、サルモネラフラゲリン誘導体ＣＺＬＣ３３１をコードし、ここで、ＣＺＬＣ３３１のコーディング遺伝子のヌクレオチド配列は配列ＩＩで示される、
３）組換え発現ベクターｐＥＴ２８ｂ−Ｔａｔ−ＣＺＬＣ３３１を宿主細菌内に形質転換するステップ、
４）発現のために、前記組換え発現ベクターｐＥＴ２８ｂ−Ｔａｔ−ＣＺＬＣ３３１を保持する宿主細菌を誘導するステップ、ならびに
５）タンパク質ＣＺＬＣ３３１を得るために、産生されたタンパク質を単離および精製するステップ。
【請求項５】
前記ステップ４）において、前記ＣＺＬＣ３３１が、従来の原核細胞発現方法を使用して調製され、純度が９５％を上回る、請求項４に記載の薬物。
【請求項６】
前記ステップ２）において使用したＴａｔタンパク質伝達ペプチドのコーディング配列を保持する前記原核細胞発現ベクターが、原核細胞発現ベクターｐＥＴ−２２ｂ、ｐＥＴ−２８またはｐＥＴ−１５から構築され、及び、ステップ３）において宿主細菌が大腸菌である、請求項４または５に記載の薬物。
【請求項７】
前記薬物が、注射剤、経口剤、浣腸剤、カプセル、腸溶コーティング錠、散剤または錠剤の形態にある、請求項１〜６のいずれか一項に記載の薬物。
【請求項８】
カプセル、腸溶コーティング錠、散剤、または顆粒に調製される場合、活性薬学的成分ＣＺＬＣ３３１は１〜３５重量％存在し、注射用、経口用または浣腸用液体剤形に調製される場合、ＣＺＬＣ３３１の濃度が２〜６４ｇ／Ｌである、請求項１〜７のいずれか一項に記載の薬物。
【請求項９】
前記薬物がタンパク質注射剤であり、前記薬物がＣＺＬＣ３３１（重量／体積の、発現された、比が５％（５ｇ／１００ｍｌ））、塩化ナトリウム（０．８５％、すなわち、０．８５ｇ／１００ｍｌ）および注射用水からなる、請求項１〜７のいずれか一項に記載の薬物。
【請求項１０】
前記薬物が、（重量で）、ＣＺＬＣ３３１  １００、ラクトース  ６０、微結晶セルロース  ２０、カルボキシメチルスターチナトリウム  ２０、ポビドンＫ３０  １０を混合及び顆粒化し、その後、顆粒化された混合物にタルク粉を、顆粒化された混合物とタルク粉の重量比２５００：５０で添加し、得られたものを錠剤化に供し、その後、得られた錠剤を腸溶フィルムコーティング層で噴霧コーティングすることにより調製された、腸溶コーティング錠の形態である、請求項１〜８のいずれか一項に記載の薬物。
【請求項１１】
炎症性腸疾患（ＩＢＤ）の予防または治療のための、サルモネラフラゲリン誘導体ＣＺＬＣ３３１の使用。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
治療上有効な低投与量の中枢神経系刺激薬；
Ｌ−カルニチンおよびＬ−チロシンを含む、治療上有効な量の微量栄養素刺激成分；ならびに
Ｎ−アセチルシステインおよびアルファ−リポ酸を含む、治療上有効な量の微量栄養素抗酸化成分
を含む、慢性疲労の治療用の経口投与組成物。
【請求項２】
アセチル−Ｌ−カルニチンは６０〜２５０ｍｇの範囲で存在する、請求項１に記載の組成物。
【請求項３】
Ｌ−チロシンは５０〜２００ｍｇの範囲で存在する、請求項１に記載の組成物。
【請求項４】
Ｎ−アセチルシステインは６０〜２５０ｍｇの範囲で存在する、請求項１に記載の組成物。
【請求項５】
アルファ−リポ酸は２５〜１００ｍｇの範囲で存在する、請求項１に記載の組成物。
【請求項６】
Ｌ−タウリン約２５〜１００ｍｇを更に含む、請求項１に記載の組成物。
【請求項７】
中枢神経系刺激薬は、約２ｍｇ〜２０ｍｇの量のアトモキセチンＨＣｌ、約０．７５ｍｇ〜７．５ｍｇの量のメチルフェニデートＨＣｌ、約０．５ｍｇ〜５ｍｇの量のデクスメチルフェニデートＨＣｌ、約４ｍｇ〜４０ｍｇの量のモダフィニル、約４ｍｇ〜４０ｍｇの量のアルモダフィニル、または約１ｍｇ〜１０ｍｇの量のアンフェタミンからなる群から選択される、請求項１に記載の組成物。
【請求項８】
ビタミンＢ６（ピリドキシン）およびビタミンＢ１２のうちの１つまたはそれ以上を更に含む、請求項１に記載の組成物。
【請求項９】
ビタミンＣ、ビタミンＥ、ベータカロテン、亜鉛およびセレンのうちの１つまたはそれ以上を更に含む、請求項１に記載の組成物。
【請求項１０】
アセチル−Ｌ−カルニチン、Ｌ−チロシン、ビタミンＢ６（ピリドキシン）、ビタミンＢ１２、Ｎ−アセチルシステイン、アルファ−リポ酸、Ｌ−タウリン、ビタミンＣ、ビタミンＥおよびベータカロテンを含む、請求項１に記載の組成物。
【請求項１１】
１日当たり低投与量の中枢神経系刺激薬を投与するステップ、ならびに
１日当たり治療上有効な投与量の、アセチル−Ｌ−カルニチン、
Ｌ−チロシン、
Ｎ−アセチルシステイン、および
アルファ−リポ酸
を投与するステップ、
を含む、ヒト患者における慢性疲労の治療方法であって、ここで
約１００〜２０００ｍｇ／日の範囲でアセチル−Ｌ−カルニチンを投与し、
約１００〜２０００ｍｇ／日の範囲でＬ−チロシンを投与し、
１００〜２０００ｍｇ／日の範囲でＮ−アセチルシステインを投与し、そして
５０〜１０００ｍｇ／日の範囲でアルファ−リポ酸を投与する、上記方法。
【請求項１２】
慢性疲労は、慢性疲労症候群または線維筋痛症に関連する、請求項１１に記載の方法。
【請求項１３】
慢性疲労は、癌、ＨＩＶ／ＡＩＤＳ、Ｂ型およびＣ型慢性肝炎、自己免疫疾患、ライム病、パーキンソン病、アルツハイマー病、精神的疾患（うつ病、ＡＤＤおよびＡＤＨＤを含む）、多発性硬化症、鎌状赤血球貧血ならびにうっ血性心不全の群から選択される状態に関連する、請求項１１に記載の方法。
【請求項１４】
ＣＮＳ刺激薬、アセチル−Ｌ−カルニチン、Ｌ−チロシン、Ｎ−アセチルシステインおよびアルファ−リポ酸を、配合剤形で、一緒に経口投与する、請求項１１に記載の方法。
【請求項１５】
ＣＮＳ刺激薬は、２．５〜４０ｍｇ／日の量で投与するメチルフェニデート、３０〜１００ｍｇ／日の量で投与するモダフィニル、２０〜８０ｍｇ／日の量で投与するアルモダフィニル、２．５〜１０ｍｇ／日の量で投与するデクスメチルフェニデート、２．５〜２０ｍｇ／日の量で投与するアンフェタミン、２０〜５０ｍｇ／日の量で投与するアトモキセチン、または１５〜２００ｍｇ／日の量で投与するカフェインからなる群から選択される、請求項１１に記載の方法。
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
脂質マイクロカプセルを含み、該脂質マイクロカプセルがトコフェロール、トコトリエノールまたはその混合物と；安定化剤／界面活性剤の成分と；水性成分とを含む、局所用製剤。
【請求項２】
トコフェロール、トコトリエノールまたはその混合物；安定化剤／界面活性剤の成分；および水性成分が組み合わさって局所用製剤の親油性相を形成する、請求項１記載の局所用製剤。
【請求項３】
一または複数のトコフェロール、トコトリエノールまたはその混合物が、局所用製剤の総重量に基づいて約０より大きく、約５％までの量で脂質マイクロカプセルに配合される、請求項１または２に記載の局所用製剤。
【請求項４】
水性成分が、局所用製剤の総重量に基づいて約５８％〜約９５％の量で脂質マイクロカプセルに配合される、請求項１〜３のいずれかに記載の局所用製剤。
【請求項５】
安定化剤／界面活性剤の成分が、局所用製剤の総重量に基づいて約７％〜約１３％の量で脂質マイクロカプセルに配合される、請求項１〜３のいずれかに記載の局所用製剤。
【請求項６】
脂質マイクロカプセルの安定化剤／界面活性剤の成分がポリオキシエチレン（２）ステアリルエーテルまたはポリオキシエチレン（２）セチルエーテルまたはその混合物である、請求項１〜５のいずれかに記載の局所用製剤。
【請求項７】
脂質マイクロカプセルの水性成分が生理的に適合しうる溶液である、請求項１〜６のいずれかに記載の局所用製剤。
【請求項８】
脂質マイクロカプセルの水性成分が水である、請求項７記載の局所用製剤。
【請求項９】
皮膚浸透性エンハンサーを実質的に含まない、請求項１〜８のいずれかに記載の局所用製剤。
【請求項１０】
ステロイド化合物を実質的に含まない、請求項１〜９のいずれかに記載の局所用製剤。
【請求項１１】
保存性化合物を実質的に含まない、請求項１〜１０のいずれかに記載の局所用製剤。
【請求項１２】
開始化合物を実質的に含まない、請求項１〜１１のいずれかに記載の局所用製剤。
【請求項１３】
電荷生成化合物を実質的に含まない、請求項１〜１２のいずれかに記載の局所用製剤。
【請求項１４】
油性化合物を実質的に含まない、請求項１〜１３のいずれかに記載の局所用製剤。
【請求項１５】
さらには、一または複数の経皮活性剤を脂質マイクロカプセルにて溶解させ、懸濁させ、または封入させて含む、請求項１〜１４のいずれかに記載の局所用製剤。
【請求項１６】
一または複数の経皮活性剤を脂質マイクロカプセルの水性成分に溶解させ、懸濁させ、および／または分散させている、請求項１５記載の局所用製剤。
【請求項１７】
一または複数の経皮活性剤がビタミンＤ化合物である、請求項１５または１６に記載の局所用製剤。
【請求項１８】
ビタミンＤ化合物が、約０より大きく、約３０％までの量で局所用製剤に配合される、請求項１７記載の局所用製剤。
【請求項１９】
ビタミンＤ化合物が生理的に許容される生物学的なビタミンＤ化合物である、請求項１７または１８に記載の局所用製剤。
【請求項２０】
ビタミンＤ化合物が、コレカルシフェロール、エルゴカルシフェロールおよびその混合物からなる群より選択される、請求項１７〜１９のいずれかに記載の局所用製剤。
【請求項２１】
局所用製剤が哺乳動物に局所塗布されると、脂質マイクロカプセルが一または複数の経皮活性剤を該哺乳動物の血流に経皮的に送達する、請求項１５〜２０のいずれかに記載の局所用製剤。
【請求項２２】
一または複数の局所活性剤をさらに含む、請求項１５〜２１のいずれかに記載の局所用製剤。
【請求項２３】
脂質マイクロカプセルが一または複数の局所活性剤を実質的に含まないように、一または複数の局所活性剤が該脂質マイクロカプセルの外側に配合される、請求項２２記載の局所用製剤。
【請求項２４】
局所用製剤が哺乳動物に局所塗布されると、一または複数の局所活性剤が実質的に皮膚に残ったままであり、哺乳動物の血流中に実質的に経皮送達されない、請求項２３記載の局所用製剤。
【請求項２５】
一または複数の局所活性剤が哺乳動物の皮膚に実質的に留まったままである、請求項２４記載の局所用製剤。
【請求項２６】
一または複数の局所活性剤が日焼け防止剤である、請求項２２〜２５のいずれかに記載の局所用製剤。
【請求項２７】
日焼け防止剤が、局所用製剤の総重量に基づいて、約０％より大きく、約３０％までの量にて局所用製剤に配合される、請求項２６記載の局所用製剤。
【請求項２８】
局所用製剤が、クリーム、ゲル、液体、ローション、液剤、スプレー、エマルジョン、エアロゾルまたはそれらの組み合わせの形態である、請求項１〜２７のいずれかに記載の局所用製剤。
【請求項２９】
（ａ）トコフェロール、トコトリエノールまたはその混合物と；安定化剤／界面活性剤の成分と；水性成分とからなる脂質マイクロカプセル；および
（ｂ）脂質マイクロカプセルにて溶解させ、懸濁させ、または封入させた、一または複数の経皮活性剤を含み；
所望により（ｃ）脂質マイクロカプセルが一または複数の局所活性剤を実質的に含まないように該脂質マイクロカプセルの外側に配合されている一または複数の局所活性剤を含んでもよい；
局所用製剤であって、
該局所用製剤が皮膚浸透性エンハンサーを実質的に含まず；
該局所用製剤が哺乳動物に局所塗布されると、一または複数の経皮活性剤が該哺乳動物の血流に経皮送達され；
一または複数の局所活性剤が実質的に皮膚に残ったままであり、哺乳動物の血流中に実質的に経皮送達されない、局所用製剤。
【請求項３０】
局所用製剤が開始剤を実質的に含まない、請求項２９記載の局所用製剤。
【請求項３１】
一または複数の経皮活性剤がビタミンＤ化合物である、請求項２９または３０に記載の局所用製剤。
【請求項３２】
ビタミンＤ化合物が生理的に許容される生物学的なビタミンＤ化合物である、請求項３１記載の局所用製剤。
【請求項３３】
一または複数の局所活性剤が日焼け防止剤である、請求項２９〜３２のいずれかに記載の局所用製剤。
【請求項３４】
ビタミンＤ欠損症またはビタミンＤ欠乏症に付随する障害または疾患の治療に効果的である、請求項３１〜３３のいずれかに記載の局所用製剤。
【請求項３５】
ビタミンＤ欠損症またはビタミンＤ欠乏症に付随する障害または疾患が、低カルシウム取り込みに付随する障害および疾患、骨関連の障害および疾患、血管障害および疾患、自己免疫障害および疾患、結核、歯周病、慢性痛、季節性情動障害、認識機能障害、うつ病、Ｉ型糖尿病、慢性腎疾患、副甲状腺機能低下症、パーキンソン病および癌からなる群より選択される、請求項３４記載の局所用製剤。
【請求項３６】
日焼け防止剤をさらに含む、請求項２９〜３５のいずれかに記載の局所用製剤。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
リンカーにより隔置されるＣＴＬＡ−４に特異的なリガンドおよびｐＭＨＣ複合体に特異的なリガンドを含む二重特異性バイオ医薬品。
【請求項２】
ＣＴＬＡ−４に特異的なリガンドはＣＴＬＡ−４に特異的な抗体、およびＣＤ８０（Ｂ７−１）またはＣＤ８６（Ｂ７−２）から選択される、請求項１に記載の二重特異性バイオ医薬品。
【請求項３】
ｐＭＨＣ複合体に特異的なリガンドは抗ＭＨＣ抗体およびＬＡＧ−３から選択される、請求項２に記載の二重特異性バイオ医薬品。
【請求項４】
リンカーはポリアミノ酸配列および抗体Ｆｃドメインのうちの１つまたはそれ以上である、請求項１に記載の二重特異性バイオ医薬品。
【請求項５】
ポリアミノ酸配列はＧ９（Ｇｌｙ−９）である、請求項４に記載の二重特異性バイオ医薬品。
【請求項６】
ＣＴＬＡ−４に特異的なリガンドはＣＤ８０である、請求項２に記載の二重特異性バイオ医薬品。
【請求項７】
ＣＤ８０はＣＴＬＡ−４に対する特異性を増加させるように変異される、請求項６に記載の二重特異性バイオ医薬品。
【請求項８】
ＣＤ８０は変異Ｗ８４Ａ、Ｋ７１Ｇ、Ｋ７１Ｖ、Ｓ１０９Ｇ、Ｒ１２３Ｓ、Ｒ１２３Ｄ、Ｇ１２４Ｌ、Ｓ１９０Ａ、Ｓ２０１Ａ、Ｒ６３Ａ、Ｍ８１Ａ、Ｎ９７ＡおよびＥ１９６Ａのうちの少なくとも１つを含むヒトＣＤ８０である、請求項７に記載の二重特異性バイオ医薬品。
【請求項９】
ＣＤ８０はヒトＣＤ８０の変異Ｗ８４ＡまたはＥ１９６Ａを含む、請求項８に記載の二重特異性バイオ医薬品。
【請求項１０】
ＭＨＣ複合体に特異的なリガンドはＬＡＧ−３である、請求項３に記載の二重特異性バイオ医薬品。
【請求項１１】
ＬＡＧ−３はｐＭＨＣＩＩに対する特異性を増加させるように変異される、請求項１０に記載の二重特異性バイオ医薬品。
【請求項１２】
ＬＡＧ−３は変異Ｒ７３Ｅ、Ｒ７５Ａ、Ｒ７５ＥおよびＲ７６Ｅのうちの少なくとも１つを含むヒトＬＡＧ−３である、請求項１１に記載の二重特異性バイオ医薬品。
【請求項１３】
ＬＡＧ−３は変異Ｒ７５ＡまたはＲ７５Ｅを含む、請求項１２に記載の二重特異性バイオ医薬品。
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
（ａ）潤滑粘度の油と；
（ｂ）０．１〜２重量％の無灰マンニッヒ分散剤と；
（ｃ）０．１〜２重量％の無灰スクシンイミド分散剤と；
（ｄ）潤滑剤組成物に対して０．０１〜０．１２重量％の硫酸灰分を組成物に運ぶ量の金属含有清浄剤と
を含み、
該スクシンイミド分散剤が、少なくとも４０重量パーツパーミリオンの窒素原子を潤滑剤組成物に与える、潤滑剤組成物。
【請求項２】
前記マンニッヒ分散剤が、ポリイソブテン置換されたフェノールと、ホルムアルデヒドまたはホルムアルデヒドの反応性等価体と、ジメチルアミンとの反応生成物を含む、請求項１に記載の潤滑剤組成物。
【請求項３】
前記スクシンイミド分散剤が、ヒドロカルビル置換された無水コハク酸またはその反応性等価体と、ポリエチレンポリアミンとの縮合生成物である、請求項１または請求項２に記載の潤滑剤組成物。
【請求項４】
前記スクシンイミド分散剤は、全塩基価が、油を含まないものを基準として、少なくとも７０である、請求項１〜３のいずれかに記載の潤滑剤組成物。
【請求項５】
前記スクシンイミド分散剤は、窒素含有量が、油を含まないものを基準として、少なくとも３重量％である、請求項１〜４のいずれかに記載の潤滑剤組成物。
【請求項６】
前記マンニッヒ分散剤と前記スクシンイミド分散剤の重量比が８０：２０〜２０：８０である、請求項１〜５のいずれかに記載の潤滑剤組成物。
【請求項７】
前記金属含有清浄剤が、過塩基性スルホネート清浄剤、過塩基性フェネート清浄剤、過塩基性サリチレート清浄剤、または過塩基性サリキサレート清浄剤である、請求項１〜６のいずれかに記載の潤滑剤組成物。
【請求項８】
前記金属含有清浄剤が、過塩基性カルシウムフェネート清浄剤を含む、請求項１〜７のいずれかに記載の潤滑剤組成物。
【請求項９】
前記金属含有清浄剤は、前記潤滑剤組成物の全塩基価の少なくとも０．１を担う、請求項１〜８のいずれかに記載の潤滑剤組成物。
【請求項１０】
前記潤滑剤組成物に含まれるリンの量が、０〜０．０５重量％である、請求項１〜９のいずれかに記載の潤滑剤組成物。
【請求項１１】
前記リンの量は、１種類以上のジアルキルジチオリン酸亜鉛によって提供される、請求項１０に記載の潤滑剤組成物。
【請求項１２】
内燃機関を潤滑する方法であって、請求項１〜１１のいずれかに記載の潤滑剤組成物を該内燃機関に供給する工程を含む、方法。
【請求項１３】
前記内燃機関が２ストロークサイクルエンジンである、請求項１２に記載の方法。
【請求項１４】
前記内燃機関は、電力出力が１５０ｋＷ（２０１馬力）未満である、請求項１２または請求項１３に記載の方法。
【請求項１５】
前記潤滑剤組成物が、液体燃料との混合物として提供される、請求項１２〜１４のいずれかに記載の方法。
【手続補正２】
【補正対象書類名】明細書
【補正対象項目名】０００９
【補正方法】変更
【補正の内容】
【０００９】
開示される技術は、潤滑剤組成物を内燃機関（例えば、２ストロークサイクルエンジン）に供給する工程を含む、内燃機関を潤滑する方法も提供する。
一実施形態において、たとえば、以下の項目が提供される。
（項目１）
（ａ）潤滑粘度の油と；
（ｂ）約０．１〜約２重量％のマンニッヒ分散剤と；
（ｃ）約０．１〜約２重量％のスクシンイミド分散剤と；
（ｄ）金属含有清浄剤と
を含み、
該スクシンイミド分散剤が、少なくとも約４０重量パーツパーミリオンの窒素原子を潤滑剤組成物に与える、潤滑剤組成物。
（項目２）
前記マンニッヒ分散剤が、ヒドロカルビル置換されたフェノールと、ホルムアルデヒドまたはホルムアルデヒドの反応性等価体と、一級アミンまたは二級アミンとの反応生成物を含む、請求項１に記載の潤滑剤組成物。
（項目３）
前記マンニッヒ分散剤が、ポリイソブテン置換されたフェノールと、ホルムアルデヒドまたはホルムアルデヒドの反応性等価体と、ジメチルアミンとの反応生成物を含む、請求項１または２に記載の潤滑剤組成物。
（項目４）
前記マンニッヒ分散剤の量が約０．２〜約１．０５重量％である、請求項１〜３のいずれかに記載の潤滑剤組成物。
（項目５）
前記スクシンイミド分散剤が、ヒドロカルビル置換された無水コハク酸またはその反応性等価体と、ポリエチレンポリアミンとの縮合生成物である、請求項１〜４のいずれかに記載の潤滑剤組成物。
（項目６）
前記スクシンイミド分散剤は、全塩基価が、油を含まないものを基準として、少なくとも約７０である、請求項１〜４のいずれかに記載の潤滑剤組成物。
（項目７）
前記スクシンイミド分散剤は、全塩基価が、油を含まないものを基準として、少なくとも約９０である、請求項１〜６のいずれかに記載の潤滑剤組成物。
（項目８）
前記スクシンイミド分散剤は、窒素含有量が、油を含まないものを基準として、少なくとも約３重量％である、請求項１〜７のいずれかに記載の潤滑剤組成物。
（項目９）
前記スクシンイミド分散剤の量が約０．２〜約１重量％である、請求項１〜８のいずれかに記載の潤滑剤組成物。
（項目１０）
前記組成物中の窒素含有分散剤の合計量が約０．２〜約４重量％である、請求項１〜９のいずれかに記載の潤滑剤組成物。
（項目１１）
前記マンニッヒ分散剤と前記スクシンイミド分散剤の重量比が約８０：２０〜約２０：８０である、請求項１〜１０のいずれかに記載の潤滑剤組成物。
（項目１２）
前記金属含有清浄剤が、過塩基性スルホネート清浄剤、過塩基性フェネート清浄剤、過塩基性サリチレート清浄剤、または過塩基性サリキサレート清浄剤である、請求項１〜１１のいずれかに記載の潤滑剤組成物。
（項目１３）
前記金属含有清浄剤が、過塩基性カルシウムフェネート清浄剤を含む、請求項１〜１２のいずれかに記載の潤滑剤組成物。
（項目１４）
前記金属含有清浄剤は、前記潤滑剤組成物の全塩基価の少なくとも約０．１を担う、請求項１〜１３のいずれかに記載の潤滑剤組成物。
（項目１５）
前記潤滑剤組成物に含まれるリンの量が、０〜０．０５重量％である、請求項１〜１４のいずれかに記載の潤滑剤組成物。
（項目１６）
前記リンの量は、１種類以上のジアルキルジチオリン酸亜鉛によって提供される、請求項１５に記載の潤滑剤組成物。
（項目１７）
請求項１〜１６のいずれかに記載の構成要素を混合することによって調製された組成物。
（項目１８）
内燃機関を潤滑する方法であって、請求項１〜１７のいずれかに記載の潤滑剤組成物を該内燃機関に供給する工程を含む、方法。
（項目１９）
前記内燃機関が２ストロークサイクルエンジンである、請求項１８に記載の方法。
（項目２０）
前記内燃機関は、電力出力が１５０ｋＷ（２０１馬力）未満である、請求項１８または請求項１９に記載の方法。
（項目２１）
前記内燃機関は、電力出力が０．１〜１５ｋＷである、請求項１８〜２０のいずれかに記載の方法。
（項目２２）
前記潤滑剤組成物が、液体燃料との混合物として提供される、請求項１８〜２１のいずれかに記載の方法。
【手続補正書】
【提出日】平成27年5月25日(2015.5.25)
【手続補正１】
【補正対象書類名】明細書
【補正対象項目名】０００５
【補正方法】変更
【補正の内容】
【０００５】
驚くべきことに、アミラーゼを、炭素原子数８〜２２の一種または二種以上の第二パラフィンスルホネートと組み合わせた時に、繊維材料上のデンプン含有汚れに対する液状洗濯洗剤の洗浄能力を向上できることが見出された。
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
（ａ）シアノアクリレート成分、及び
（ｂ）水素化芳香族無水物
を含む、シアノアクリレート接着剤組成物。
【請求項２】
更に、ベンゾニトリルを含む、請求項１に記載の組成物。
【請求項３】
前記水素化芳香族無水物が水素化無水フタル酸である、請求項１に記載の組成物。
【請求項４】
前記水素化芳香族無水物がテトラヒドロフタル酸無水物である、請求項１に記載の組成物。
【請求項５】
前記ベンゾニトリルが、３，５−ジニトロベンゾニトリル、２−クロロ−３，５−ジニトロベンゾニトリル、ペンタフルオロベンゾニトリル、α，α，α−２−テトラフルオロ−ｐ−トルニトリル、及びテトラクロロテレフタロニトリルからなる群より選択される、請求項２に記載の組成物。
【請求項６】
更に、酸性安定剤及びフリーラジカル抑制剤を含む、請求項１に記載の組成物。
【請求項７】
前記シアノアクリレート成分が、Ｈ２Ｃ＝Ｃ（ＣＮ）−ＣＯＯＲの構造（式中、Ｒは、Ｃ１〜１５アルキル、アルコキシアルキル、シクロアルキル、アルケニル、アラルキル、アリール、アリル及びハロアルキル基より選択される）の範囲内の物質から選択される、請求項１に記載の組成物。
【請求項８】
前記シアノアクリレート成分が、エチル−２−シアノアクリレートを含む、請求項１に記載の組成物。
【請求項９】
更に、カリックスアレーン、オキサカリックスアレーン、シラクラウン、シクロデキストリン、クラウンエーテル、ポリ（エチレングリコール）ジ（メタ）アクリレート、エトキシル化ヒドロキシ化合物及びそれらの組み合わせからなる群より選択される促進剤成分を含む、請求項１に記載の組成物。
【請求項１０】
前記カリックスアレーンが、テトラブチルテトラ［２−エトキシ−２−オキソエトキシ］カリックス−４−アレーンである、請求項９に記載の組成物。
【請求項１１】
前記クラウンエーテルが、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、及び１，２−ベンゾ−１，４−ベンゾ−５−Ｏ−２０−クラウン−７並びにそれらの組み合わせからなる群内の構成物質より選択される、請求項９に記載の組成物。
【請求項１２】
前記ポリ（エチレングリコール）ジ（メタ）アクリレートが、次の構造
【化１】
2014522899.tif 000001
（式中、ｎは３よりも大きい）
の範囲内にある、請求項９に記載の組成物。
【請求項１３】
更に、耐衝撃性添加剤、チクソトロピー性付与剤、増粘剤、色素、耐熱分解性増強剤及びそれらの組み合わせからなる群より選択される添加剤を含む、請求項１に記載の組成物。
【請求項１４】
請求項１に記載の組成物の反応生成物。
【請求項１５】
二つの基材を接合する方法であって、
基材の少なくとも一つに、請求項１に記載のシアノアクリレート含有組成物を塗布するステップ、及び
接着剤を固化し得るのに十分な時間、基材を一体にするステップ、
を含む方法。
【請求項１６】
請求項１に記載のシアノアクリレート含有組成物の調製方法であって、
シアノアクリレート成分を用意するステップ、及び
それに、水素化芳香族無水物及び任意選択でベンゾニトリルを、混合により混ぜ合わせるステップ、
を含む方法。
【請求項１７】
固化速度、安定性又は色調の少なくとも一つを損なうことなく、シアノアクリレート組成物の硬化生成物に対して向上した耐熱性を付与する方法であって、
シアノアクリレート組成物を用意するステップと、
水素化芳香族無水物及び任意選択でベンゾニトリルを用意するステップと、
を含む方法。
【請求項１８】
シアノアクリレート成分を含むシアノアクリレート組成物であって、その改良が、シアノアクリレート組成物の固化時間を損なうことなく硬化反応生成物の耐熱性を改良するために、シアノアクリレート成分に水素化芳香族無水物を添加することを含むシアノアクリレート組成物。
【請求項１９】
更に、ベンゾニトリルを含む、請求項１８に記載の組成物。
【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
炭化水素原料からスルホン及びスルホキシドを除去することによって炭化水素原料を改良する方法であって、
ａ．炭化水素原料を酸化反応器に供給する工程であって、前記炭化水素原料が硫黄含有化合物を含む工程；
ｂ．前記炭化水素原料を、酸化反応器内で、炭化水素原料中に存在する硫黄化合物を選択的に酸化するのに十分な条件下、触媒の存在下で酸化剤と接触させて、炭化水素及び酸化硫黄含有化合物を含む炭化水素の流れを生成する工程；
ｃ．前記酸化硫黄含有炭化水素の流れを水相及び非水性酸化溶出液に分離する工程；
ｄ．前記非水性酸化溶出液を回収し、それを電子供与剤と接触させて、非水性酸化溶出液中に存在するスルホン及びスルホキシドを減少させ、スルホン及びスルホキシド中の炭素−硫黄結合の還元的開裂を引き起こして分解し、副生成物の塩と脱硫された炭化水素を生成する工程；
ｅ．副生成物の塩を分離し、脱硫された炭化水素の流れを回収する工程；を含む
ことを特徴とする方法。
【請求項２】
原料のスルホン及びスルホキシド含有量に基づき、約１〜約５モル当量の電子供与剤を使用する
請求項１に記載の方法。
【請求項３】
約１〜約３モル当量の電子供与剤を使用する
請求項２に記載の方法。
【請求項４】
前記分解は約１００〜約３００℃の温度で実施する
請求項１に記載の方法。
【請求項５】
前記分解は約１００〜約２００℃で実施する
請求項４に記載の方法。
【請求項６】
前記分解は約１００〜約１５０℃で実施する
請求項５に記載の方法。
【請求項７】
前記分解は約３〜約３０ｋｇ／ｃｍ２の圧力で実施する
請求項１に記載の方法。
【請求項８】
前記分解は約０．０５〜約４．０ｈ−１で実施する
請求項１に記載の方法。
【請求項９】
前記電子供与剤は、スルホン及びスルホキシドの還元的開裂を実施するのに十分な酸化電位を有する
請求項１に記載の方法。
【請求項１０】
前記電子供与体はテトラアザアルケンである
請求項９に記載の方法。
【請求項１１】
テトラアザアルケンがビスイミダゾリリデンである
請求項１０に記載の方法。
【請求項１２】
前記炭化水素原料は原油、油、シェールオイル、石炭液体、中間精油生成物及びその蒸留留分である
請求項１に記載の方法。
【請求項１３】
前記電子供与剤は、飽和カロメル電極を参照したときに、ジメチルホルムアミド中で少なくとも−１．２Ｖの半電位を有する
請求項９に記載の方法。
【請求項１４】
前記炭化水素原料は約３６〜約２０００℃の範囲で沸騰する
請求項１２に記載の方法。
【請求項１５】
前記工程ｃの後、非水性酸化溶出液を溶媒抽出処理する
請求項１に記載の方法。
【請求項１６】
前記溶媒は極性溶媒である
請求項１５に記載の方法。
【請求項１７】
前記抽出は約２０〜約６０℃及び圧力約１〜約１０ｂａｒで実施する
請求項１５に記載の方法。
【請求項１８】
前記抽出の工程の後、抽出された溶出液を吸着処理する
請求項１５に記載の方法。
【請求項１９】
前記吸着剤は、活性炭、シリカゲル、アルミナ、天然粘土、極性ポリマーが塗布されたシリカゲル、活性炭及びアルミナからなる群から選択される
請求項１８に記載の方法。
【請求項２０】
前記吸着ゾーンは約２０〜約６０℃及び圧力約１〜約１５ｂａｒで運転する
請求項１８に記載の方法。
【手続補正２】
【補正対象書類名】明細書
【補正対象項目名】００２７
【補正方法】変更
【補正の内容】
【００２７】
本発明のプロセスは、炭化水素原料をスルホン及びスルホキシドの除去によって改良する方法であって、
ａ．炭化水素原料を酸化反応器に供給する工程であって、炭化水素原料が硫黄含有化合物を含む、工程；
ｂ．前記炭化水素原料を、酸化反応器内で、炭化水素原料中に存在する硫黄化合物を選択的に酸化するのに十分な条件下、触媒の存在下で酸化剤と接触させて、炭化水素及び酸化硫黄含有化合物を含む炭化水素の流れを生成する工程；
ｃ．前記酸化硫黄含有炭化水素の流れを水相及び非水性酸化溶出液に分離する工程；
ｄ．前記非水性酸化溶出液を回収し、それを電子供与剤と接触させて、非水性酸化溶出液中に存在するスルホン及びスルホキシドを減少させ、スルホン及びスルホキシド中の炭素−硫黄結合の還元的開裂を引き起こして分解し、副生成物の塩と脱硫された炭化水素を生成する工程；及び、
ｅ．副生成物の塩を分離し、脱硫された炭化水素の流れを回収する工程；を含む方法である。